(57)【要約】【課題】初心者でも簡単にゴルフプレーを上達できるゴルフ練習用具を提供する。【解決手段】本発明は、柱状のボックスを有するゴルフ練習用具であって、前記柱状ボックスにショルダーベルトが備わり、前記柱状ボックスを背中に背負うようにした背負子式ゴルフ練習用具であり、前記柱状ボックスの形状は、上面が略平坦面であり、前記上面において、前記柱状ボックスの背中に当接する面（背中当接側面と言う）に対して略平行な複数の縞線模様または縞状模様が描写されており、前記縞線模様または縞状模様を用いて、上半身の傾斜度合いを調整することが可能である背負子式ゴルフ練習用具であり、さらに、前記柱状ボックスの背中当接側面以外の側面において、前記柱状ボックスの底面に略直角に複数の縦縞線模様または縦縞状模様が描写されており、前記縦縞線模様または前記縦縞状模様を用いて、ゴルフの上半身の回転度合いを調整可能であることを特徴とする。【選択図】図１
2020185039.tif 000002
【特許請求の範囲】
【請求項１】
柱状のボックスを有するゴルフ練習用具であって、前記柱状ボックスにショルダーベルトが備わり、前記柱状ボックスを背中に背負うようにした背負子式ゴルフ練習用具。
【請求項２】
前記柱状ボックスの形状は、上部（上面）が略平坦面であり、前記上面において、前記柱状ボックスの背中に当接する面（背中当接側面と言う）に対して略平行な複数の縞状模様が描写されていることを特徴とする、請求項１に記載の背負子式ゴルフ練習用具。
【請求項３】
前記縞状模様を用いて、上半身の傾斜度合いを調整することが可能であることを特徴とする、請求項１または２に記載の背負子式ゴルフ練習用具。
【請求項４】
前記柱状ボックスの形状は、前記柱状ボックスの背中に当接する面（背中当接側面と言う）を除いて略円柱側面形状となる部分円柱であることを特徴とする、請求項１〜３のいずれかの項に記載の背負子式ゴルフ練習用具。
【請求項５】
前記柱状ボックスの形状は底面が略多角形形状の多角形柱であり、前記多角形柱の側面のうちの１つが背中に当接する面（背中当接側面と言う）であることを特徴とする、請求項１〜３のいずれかの項に記載の背負子式ゴルフ練習用具。
【請求項６】
前記柱状ボックスの背中に当接する面（背中当接側面と言う）以外の側面において、前記柱状ボックスの底面に略直角に複数の縦縞状模様が描写されていることを特徴とする、請求項１〜５のいずれかの項に記載の背負子式ゴルフ練習用具。
【請求項７】
前記縦縞状模様を用いて、ゴルフの上半身の回転度合いを調整可能であることを特徴とする、請求項６に記載の背負子式ゴルフ練習用具。
【請求項８】
前記柱状ボックスの主材料はプラスチックであることを特徴とする、請求項１〜７のいずれかの項に記載の背負子式ゴルフ練習用具。
【請求項９】
前記プラスチックは発泡プラスチックまたはポリ塩化ビニルであることを特徴とする、請求項８に記載の背負子式ゴルフ練習用具。
【請求項１０】
前記柱状ボックスは、気体で膨らませて形成する風船体であることを特徴とする、請求項１〜７のいずれかの項に記載の背負子式ゴルフ練習用具。
【請求項１１】
前記背中当接側面に柔軟性部材が配置されていることを特徴とする、請求項１〜１０のいずれかの項に記載の背負子式ゴルフ練習用具。
【請求項１２】
柔軟性部材は、エアーマットであることを特徴とする、請求項１１に記載の背負子式ゴルフ練習用具。
【請求項１３】
腕にかける腕輪（腕サポーターと言う）を有する腕サポーター式ゴルフ練習用具。
【請求項１４】
前記腕サポーターに長手方向に略平行に縦縞模様を配したことを特徴とする、請求項１３に記載の腕サポーター式ゴルフ練習用具。
【請求項１５】
前記縦縞模様を用いて腕の状態を調整可能であることを特徴とする、請求項１４に記載の腕サポーター式ゴルフ練習用具。
【発明の詳細な説明】
【技術分野】
【０００１】
本発明は、ゴルフプレーヤーのアドレス時の姿勢を定めるゴルフ練習用具に関する。
【背景技術】
【０００２】
ゴルフは止まっているボールを打つので簡単なスポーツに見えるが、ゴルフプレーヤーがボールを所望の方向および距離に飛ばすには、身体の姿勢を最良な状態にしてボールをインパクトする必要がある。初心者はどのような姿勢でボールを打てば良いか分からないのでボールに当てても方向が定まらず苦労する。特に、難しいのが、上半身の前傾角度やバックスイング時の上半身の回転度合いである。すなわち、ボールの方向を定めボールの飛距離を伸ばすにはゴルフクラブの適切なスイングが必要であり、この適切なスイングを行なうには、ボールと足の位置を最適な状態にし、ゴルフクラブをボールに当てるときの上半身の前傾姿勢および回転姿勢を適切にする必要がある。
【先行技術文献】
【特許文献】
【０００３】
【特許文献１】特開２０１２−２００４８４
【発明の概要】
【発明が解決しようとする課題】
【０００４】
特許文献１には主柱、真直棒および三脚からなるゴルフ練習具が提案されている。このゴルフ練習具はゴルフプレーヤーの正面に置いて、その真直棒の位置を変えそれに合わせてゴルフプレーヤーの姿勢を規定しながらスイング練習等を行なうものである。しかし、真直棒の位置を変えながら行なうために、どのような位置にするかは専門的な知識が必要であるから、特に初心者にとっては姿勢を矯正することは困難である。また、道具が大掛かりであり持ち運ぶことも面倒であるから、移動しながら練習するのに苦労する。
【課題を解決するための手段】
【０００５】
本発明は、初心者でも簡単にゴルフプレーを上達できるゴルフ練習用具を提供するものであり、    具体的には以下の特徴を有する。
（１）本発明は、柱状のボックスを有するゴルフ練習用具であって、前記柱状ボックスにショルダーベルトが備わり、前記柱状ボックスを背中に背負うようにした背負子式ゴルフ練習用具であり、前記柱状ボックスの形状は、上部（上面）が略平坦面であり、前記上面において、前記柱状ボックスの背中に当接する面（背中当接側面と言う）に対して略平行な複数の縞線模様または縞状模様が描写されており、前記縞線模様または縞状模様を用いて、上半身の傾斜度合いを調整することが可能であることを特徴とする背負子式ゴルフ練習用具である。
（２）本発明は、（１）に加えて、前記柱状ボックスの形状は、前記柱状ボックスの背中に当接する面（背中当接側面と言う）を除いて略円柱側面形状となる部分円柱であり、または前記柱状ボックスの形状は底面が略台形形状の台形柱であり、前記台形形状の長い底辺（長底辺と言う）に対応する台形中の側面が背中に当接する面（背中当接側面と言う）であり、または前記柱状ボックスの形状は底面が略多角形形状の多角形柱であり、前記多角形柱の側面のうちの１つが背中に当接する面（背中当接側面と言う）であることを特徴とする。
【０００６】
（３）本発明は、（１）または（２）に加えて、前記柱状ボックスの背中に当接する面（背中当接側面と言う）以外の側面において、前記柱状ボックスの底面に略直角に複数の縦縞線模様または縦縞状模様が描写されており、前記縦縞線模様または前記縦縞状模様を用いて、ゴルフの上半身の回転度合いを調整可能であることを特徴とする。
（４）本発明は、（１）または（２）または（３）に加えて、前記柱状ボックスの主材料はプラスチックであり、前記プラスチックは発泡プラスチックであり、前記柱状ボックスの主材料は発砲ウレタンまたは発砲スチロールであり、または前記柱状ボックスは、気体で膨らませて形成する風船体であり、前記背中当接側面に柔軟性部材が配置されており、前記柔軟性部材は、エアーマットであることを特徴とする。
（５）本発明は、腕にかける腕輪（腕サポーターと言う）を有する腕サポーター式ゴルフ練習用具であり、前記腕サポーターに長手方向に略平行に縦縞線模様または縦縞模様を配しており、前記縦縞線模様または縦縞模様を用いて腕の状態を調整可能であることを特徴とする。
【発明の効果】
【０００７】
本発明の背負子式ゴルフ練習用具は、背負って練習する用具なのでゴルフプレーヤーへの負担も軽く、また軽量なので持ち運びも楽である。本発明の背負子式ゴルフ練習用具を背負いながらゴルフ場のラウンドをまわってプレーしながら練習することもできる。本発明の背負子式ゴルフ練習用具は視覚に直接覚え込ませることが可能であるから、簡単に理解しやすいので、初心者でも簡単にゴルフプレーの姿勢を会得することができる。特に小学生の子供が興味を持ちながらゴルフプレーヤーの基本姿勢を簡単に学ぶことができるものである。
【図面の簡単な説明】
【０００８】
【図１】図１は、本発明の背負子式ゴルフ練習用具を示す図である。
【図２】図２は、背負子式ゴルフ練習用具本体の３面図（平面図、立面図、側面図）を示す図である。
【図３】図３は、本発明の背負子式ゴルフ練習用具の使用方法について説明する図である。
【図４】図４は、図３に示す背負子式ゴルフ練習用具を背中に背負ったゴルフプレーヤーを正面から見た状態を示す図である。
【図５】図５は、本発明の背負子式ゴルフ練習用具を背中に身に着けてバックスイングの状態を示す図である。
【図６】図６は、本発明のゴルフ練習用腕サポーター（腕輪式（腕サポータ式）ゴルフ練習用具）を示す図である。
【図７】図７は、本発明のゴルフ練習用腕サポーター（腕輪式（腕サポータ式）ゴルフ練習用具）の使用方法の一例を示す図である。
【図８】図８は、背負子式ゴルフ練習用具の概略サイズを示した図である。
【図９】図９は、図１に示す部分円柱形状の背負子式ゴルフ練習用具の変形実施形態を示す図である。
【発明を実施するための形態】
【０００９】
図１は、本発明の背負子式ゴルフ練習用具１０を示す図である。本発明の背負子式ゴルフ練習用具は図３〜図５に示すように、ゴルフプレーヤーの背中にランドセルやリュックサックと同じように背負って練習する。従って、ランドセル（リュックサック）型（式）ゴルフ練習用具と呼んでも良い。本発明の背負子式ゴルフ練習用具（以下、単にゴルフ練習用具とも記載）１０は、柱状の背負子式ゴルフ練習用具本体１１、背負子式ゴルフ練習用具本体１０を背中に背負いゴルフプレーヤーの左右の肩にかけるショルダー（肩）ベルト（肩紐）１６、１８から構成される。
【００１０】
背負子式ゴルフ練習用具本体１１は柱状であり、背中に当接する部分（背中当接部分）１４は、背負子式ゴルフ練習用具本体１１の（柱状部分の）側面であり、略長方形状の平面形状である。すなわち、背負子式ゴルフ練習用具本体１１は、柱状の底面に対して垂直方向に柱状部分を切断したような形状である。図１に示す背負子式ゴルフ練習用具本体１１は、底面が円形の円柱を底面の円形に対して垂直方向に切断したような柱状形状（部分円柱形状または切断円柱形状と呼んでも良い）である。部分円はゴルフプレーヤーの身体やその習熟度に合わせて、半円形、半円形より広い部分円形、または半円形より狭い部分円形にしても良い。背中当接部分は背中に当接しやすいように凹凸状態になっていても良い。
【００１１】
底面形状は、図１に示す円形以外にも楕円形、三角形状、矩形（長方形または正方形）状、多角形状、または任意の曲線形状でも良いし、これらに類似した形状でも良い。尚、三角形状等の多角形状の場合は背中に当接する背中当接部分１４はその一部の側面部分でも良い（すなわち、切断面のようなものでなくても良い）。
【００１２】
背中が当接する部分（背中当接部分）１４は、図１では平面形状であるが凹凸部分が形成されていても良い。凹凸部分が形成されていることにより、背中で当接部分１４が移動しにくくなるので、背負子式ゴルフ練習用具本体１１がゴルフプレーヤーの背中で安定する。あるいは、背中当接部分１４は背中の形状にフィットする（適合する）ような形状で形成されていても良い。この場合も背中で当接部分１４が移動しにくくなるので、背負子式ゴルフ練習用具本体１１がゴルフプレーヤーの背中で安定する。あるいは、当接部分１４に柔軟性部材を取り付ければ（あるいは、当接部分１４そのものを柔軟性部材として）、当接部分１４が背中の形状に従い変形してフィットし、当接部分１４が移動しにくくなるので、背負子式ゴルフ練習用具本体１１がゴルフプレーヤーの背中で安定する。しかも柔軟性部材が背中に当たるので違和感がなく、長時間の練習でも疲労感が少ない。柔軟性部材は、たとえば、柔軟性プラスチックや各種ゴムや各種スポンジ類であり、柔軟性プラスチックとしてたとえばウレタン樹脂や塩化ビニル（ＰＶＣ）である。また空気等の気体を入れたエアーマット（エアーパット）でも良い。
【００１３】
肩ベルト１６、１８の両端は背中当接部分１４または背負子式ゴルフ練習用具本体１１の外側側面１３に固定されている。肩ベルト１６は右肩へ、肩ベルト１８は左肩へかけて、長さ調節部分１７、１９で肩ベルト１６、１８の長さを調節して背負子式ゴルフ練習用具本体１１を背中の所定部分にかけて背中から動かないようにする。また、腰ベルト２０を背負子式ゴルフ練習用具本体１１へ取り付けて、さらに背負子式ゴルフ練習用具本体１１が動かないようにしても良い。２１は腰ベルト２０の長さを調節する長さ調節部分である。腰ベルト２０の両端は背負子式ゴルフ練習用具本体１１の下部の背中当接部分１４または背負子式ゴルフ練習用具本体１１の外側側面１３に固定されている。
【００１４】
本発明の背負子式ゴルフ練習用具本体１１の上面（底面）１２には、縞状の模様３１、３２、３３が形成されている。この縞状模様３１〜３３は後に示すようにゴルフプレーヤーの上半身の傾斜角度を規定する。この縞状模様３１〜３３は、この傾斜角度を規定しやすくするために、背中当接部分１４に略平行に描写されるのが好ましい。また、縞状模様３１〜３３は直線状である方が描写しやすいので、作製コストを低減できる。もちろん、曲線形状で作製することもできる。線状の場合は縞線と呼んでも良い。縞状模様３１〜３３の数はもっと多くても良い。ただし、余り多いと傾斜角度を規定しにくくなるので、ゴルフプレーヤーの習熟度に合わせて調整しても良い。縞状模様は色彩や明度を変えて見やすくすることもできる。また、縞状模様３１〜３３の間を色分けしても良いし、色模様で色分けしても良い。
【００１５】
本発明の背負子式ゴルフ練習用具本体１１の側面１３にも、図１に示すように縞状の模様３５、３６、３７が形成されている。図１は斜視図面であるので、背負子式ゴルフ練習用具本体１１の側面１３の裏側は見えていないが、側面１３の裏側の側面１３にも同様な縞状模様が形成されている。この縞状模様３５〜３７は後に示すようにゴルフプレーヤーの上半身の回転角度を規定する。この縞状模様３５〜３７は、この傾斜角度を規定しやすくするために、上面（底面）１２に略垂直に描写するのが良い。また、また、縞状模様３５〜３７は直線状である方が描写しやすいので、作製コストを低減できる。もちろん、曲線形状で作製することもできる。縞状模様３５〜３７の数はもっと多くても良い。ただし、余り多いと傾斜角度を規定しにくくなるので、ゴルフプレーヤーの習熟度に合わせて調整しても良い。縞状模様は色彩や明度を変えて見やすくすることもできる。また、縞状模様３５〜３７の間を色分けしても良いし、色模様で色分けしても良い。
【００１６】
図２は、図１に示す背負子式ゴルフ練習用具本体１１の３面図（平面図、立面図、側面図）を示す図である。図２（ａ）が平面図（上（底）面図）、図２（ｂ）は平面図（ａ）に示すＡ矢印方向の逆方向（すなわち、背中当接面と逆方向、平面図（ａ）では上方向）から見た立面図（正面図）、図２（ｃ）は側面図である。Ａ方向から見る図は背負子式ゴルフ練習用具本体１１の背中当接部分１４であり、この背中当接部分１４は練習には使用しないので、模様はなくても良い。図２の模様は、略長方形状の色模様で描写されている。このような色模様でもゴルフプレーヤーの姿勢を規定する練習に使用できる。図２（ａ）は背負子式ゴルフ練習用具本体１１の上面４１を示すもので、略長方形状の色模様４６、４７、４８、４９、５０が形成される。この色模様４６〜５０を用いて、後で示すように、ゴルフプレーヤーの上半身の傾斜度を規定する練習を行なうことができる。この色模様４６〜５０の数はもっと少なくて良いし、もっと多くても良く、ゴルフプレーヤーの技術レベルに合わせて調整することができる。
【００１７】
図２（ｂ）は、Ａ方向と反対方向から見た立面図（正面図）であり、背負子式ゴルフ練習用具本体１１の側面４２を示す図であるが、背負子式ゴルフ練習用具本体１１を背中に背負ったときに、垂直方向に長い長方形状の色模様５１、５２、５３、５４、５６、５７、５８が形成されている。図２（ｃ）は、Ａ方向と直角方向から見た側面図であり、背負子式ゴルフ練習用具本体１１の側面４３を示す図であるが、背負子式ゴルフ練習用具本体１１を背中に背負ったときに、垂直方向に長い長方形状の色模様６１、６２、６３、６４、６５、６６が形成されている。背負子式ゴルフ練習用具本体１１の側面は曲面であるから、上記の長方形状色模様５１〜５８、６１〜６６の幅は同じ幅で形成しても、立面図（ｂ）、側面図（ｃ）では幅が変化するが、その変化は考慮されていない。隣同士の模様変化を大きくするほど、視認しやすくなるので、傾斜度合いや回転度合いを覚えやすくなる。また、色模様の数を増やしたり減らしたりして、ゴルフプレーヤーの技術レベルに合わせることもできる。尚、図２で上面や側面を色模様で埋めているが、図１で示すような縞状模様（縞線と呼んでも良い）の場合も同様である。このような縞状模様は、たとえば種々の色彩の色テープで貼りつけて作製することもできる。色テープであれば、プレーヤーの技術レベルに合わせて貼り替えて変更することもできるし、またプレーヤーの好みで色彩を変えることもできる。さらに、プレーヤーのスタイルが固定したら、常にその状態になるように目立つ色彩の色テープを貼り付けることもできる。
【００１８】
図３は、本発明の背負子式ゴルフ練習用具の使用方法について説明する図で、本発明の背負子式ゴルフ練習用具をゴルフプレーヤーの背中に背負って、練習する様子を示す図である。ゴルフプレーヤーが、適切な方向にボールを打ち、しかもボールの飛距離を出すためには、適切にゴルフクラブをスイングする必要があり、それにはゴルフクラブをボールに当てるときの上半身の前傾姿勢を適切な角度（前傾姿勢角度という）にする必要がある。スイング時の適切な前傾姿勢角度は、これまでの経験と研究から３０度〜３５度と言われているが、ゴルフプレーヤーの体格や運動能力や技術レベル等によって、当然変化する。すなわち、自分の状態（体格、運動能力、技術レベル等）に合った前傾角度を知る必要がある。本発明の背負子式ゴルフ練習用具を使用すれば、簡単に自分の状態合わせた前傾角度を一定角度に定めることができる。
【００１９】
図３は、本発明の背負子式ゴルフ練習用具１０背中に背負い、前傾姿勢を取りボールをインパクトする（打つ）ときの身体の状態を横方向から見た図である。ゴルフプレーヤーは、ボールをインパクトする（打つ）ときの様子を頭に描きながらその状態になるように、インパクトする（打つ）ときの身体の状態をイメージしながら練習する。しかし、前傾姿勢がどのような状態になっているか基準を定めるものがないとイメージが非常に難しいので、実際のスイングのときにイメージした姿勢にするのが困難である。本発明の背負子式ゴルフ練習用具１０を使用した場合、図３に示すように、前傾姿勢を取ったときに背中に背負った背負子式ゴルフ練習用具１０の本体１１の上面１２が正面に配置した鏡７３に映る。
【００２０】
背負子式ゴルフ練習用具本体１１の上面１２には、縞状模様３１〜３３が描写されているので、ゴルフプレーヤー７１の頭７４の上に出る縞状模様（この場合は、縞線３２）が矢印７５のように進んで鏡７３に映る。ゴルフプレーヤー７１は正面に配置した鏡７３に映った縞線模様３２を確認するとともに、自分の前傾姿勢の状態をイメージすることができる。前傾姿勢角度を小さくした方が良い場合には、縞状模様３３または縞状模様３２と３３の間が鏡７３に映るようにすれば良い。前傾姿勢角度を大きくした方が良い場合には、縞状模様３１または縞状模様３２と３１の間が鏡７３に映るようにすれば良い。このように簡単に視覚により自分の前傾（姿勢）角度を知ることができ、その状態を記憶しておけば良い。鏡がない場合は、他の人に見て教えてもらえば良い。
【００２１】
図４は、図３に示す背負子式ゴルフ練習用具１０を背中に背負ったゴルフプレーヤー７１を正面から見た状態を示す図である。すなわち、肩ベルト１８、１９をゴルフプレーヤー７１の肩にかけ、腰ベルト２０も使用して、背負子式ゴルフ練習用具本体１１をゴルフプレーヤー７１の背中に固定して、前傾姿勢を取った状態である。ゴルフプレーヤー７１の正面から見ると良く分かるように、背負子式ゴルフ練習用具本体１１の上面１２が見えて、ゴルフプレーヤー７１の頭７４の上に縞線（縞状模様）３２が見える。この前傾姿勢状態をイメージしながら、ゴルフクラブヲスイングしてボールをゴルフクラブでインパクトするときにこの前傾姿勢状態になるようにすれば良い。そして、このイメージした状態でゴルフクラブをスイングしてボールをインパクトすれば、そのときの前傾姿勢角度ではどの方向にどの程度の飛距離になるかが分かる。
【００２２】
方向と飛距離が不十分であれば、前傾姿勢角度を変更すれば良い。たとえば、前傾姿勢角度を大きくする場合は、頭７４の上に縞線３２と３１の間が鏡に見えるようにすれば良いし、前傾姿勢角度をもっと大きくするには頭７４の上に縞線３１が来るようにすれば良い。あるいは、前傾姿勢角度を小さくする場合は、頭７４の上に縞線３２と３３の間が鏡に見えるようにすれば良いし、前傾姿勢角度をもっと小さくするには頭７４の上に縞線３３が来るようにすれば良い。このように、本発明の背負子式ゴルフ練習用具本体１１を使用すれば、視覚的に一目瞭然で自分の前傾姿勢角度をイメージし一定角度に定めることができ、所望の方向へかつ所望の飛距離でボールを飛ばすことができる。尚、図３において、肩ベルト１６、１８を左右肩にかけ、また腰ベルト２０を腰に回して背負子式ゴルフ練習用具本体１０を背中に固定して、姿勢矯正練習中やゴルフクラブのスイング練習中に背負子式ゴルフ練習用具本体１０が動かないようにすることも重要である。
【００２３】
ゴルフプレーヤーは、少しでも遠くにボールを遠くに飛ばしたいと考えているので、バックスイングの姿勢とゴルフクラブを振り下ろすときの速度が重要である。バックスイング時の姿勢で重要なことは、腰および肩を適度に回転させることである。この腰および肩の回転度合いがゴルフクラブの振り下ろし速度もある程度決定する。バックスイングのトップでは、腰の回転は４５度、肩は９０度まわった状態が理想的であると言われるが、ゴルフプレーヤーの身体能力や技術レベルから最適の回転度合いを知ることが重要である。図５は、本発明の背負子式ゴルフ練習用具を背中に身に着けてバックスイングのトップ状態を示す図である。ゴルフプレーヤー７１の下半身の動きを押さえながら身体の軸をキープしながら、上半身の腰および肩を矢印７７のように回転させると、図５に示すように、背中に背負った本発明の背負子式ゴルフ練習用具本体１１が回転し、背負子式ゴルフ練習用具本体１１の側面１３に描写され縦縞線模様がゴルフプレーヤー７１の正面から見えるようになる。図５では縦縞線模様３６、３７が見えている。この状態のときからゴルフクラブの振り下ろしボールをインパクトしたときに、どの程度の飛距離が出るか知ることができる。上半身の捻じり（回転）度合いをこの縞線模様で把握して練習すれば、ほぼ一定の飛距離を出すことができる。このように本発明の背負子式ゴルフ練習用具を用いることにより、身体を捻じった（回転した）ときの縞状模様の見え方を正面に配置した鏡で知ることもできるので、他人の手を借りずとも一人で練習することができる。また鏡がなくても他人に見てもらって教えてもらうことができる。
【００２４】
本発明の背負子式ゴルフ練習用具本体は軽い方が違和感なく背負うことができる。たとえば、背負子式ゴルフ練習用具本体の材質はプラスチックや紙等の繊維である。プラスチックとして、たとえばポリ塩化ビニル（ＰＶＣ）やポリウレタンがある。ポリ塩化ビニル（ＰＶＣ）やポリウレタン等は柔軟性プラスチックなので、背負子式ゴルフ練習用具本体が身体に直接当たっても身体が痛くなる等の問題はない。特に子供にとっては身体に違和感を与えないことが重要である。もちろん、他の種々の柔軟性プラスチックを用いることもできる。また、発泡プラスチックにすればかなり軽量になり、子供でも簡単に背負うことができる。発泡プラスチックとして、たとえば発泡ウレタン、発泡スチロール、発泡プロピレンがある。中を空洞にすればかなり軽くなるので、外側（外層）材料を金属製（鉄製やステンレス製や各種合金）とすることもできる。金属製でもさらに軽くするには、たとえばチタンやその合金、アルミニウムやその合金でも良い。あるいは、折り畳み式で開いたときに所定の形状（たとえば、部分円柱状、部分楕円柱状、矩形柱状、台形柱状、多角形柱状）になるようにしても良い。あるいは、各種プラスチックを混合して作製しても良いし、種々の材料を組み合わせても良い。あるいは、中を発泡スチロール等の発泡プラスチックにして表面を別のプラスチック材料や布などとしても良い。たとえば、発泡プラスチックの表面をポリ塩化ビニルや布で被うこともできる。その場合、表面（被覆）材料に縞状模様を印刷することもできる。この場合表面（被覆）材料が汚れたら交換もできるし、洗濯も可能である。柱状ボックスの形状は底面が略台形形状の台形柱である場合、台形形状の長い底辺（長底辺と言う）に対応する台形中の側面が背中に当接する面（背中当接側面と言う）となる。柱状ボックスの形状は底面が略多角形形状の多角形柱である場合、多角形柱の側面のうちの１つが背中に当接する面（背中当接側面と言う）となる。
【００２５】
あるいは、風船にすれば使用しないときはしぼませておき、使用するときだけ空気や窒素等の気体を入れて膨らませておけば、収納保管時は場所（スペース）も取らないので、どこでもおける。重くないので壁にかけて吊るして保管も可能である。風船式（風船体）の場合は、膨らましたときに所定の形状（たとえば、部分円柱状、部分楕円柱状、矩形柱状、台形柱状、多角形柱状）になるように枠体を作製すれば良い。膨らました時だけ所定の形状になるようにしても良い。外側（外層）材料はゴムや伸縮自在のエラストマーや布や紙である。風船体の場合はかなり軽くなるので実際のプレートほぼ同じ状態でプレーをすることができる。
【００２６】
図９は、図１に示す部分円柱形状の背負子式ゴルフ練習用具の変形実施形態を示す図である。肩ベルトや腰ベルトは記載していない。本実施形態は、背負子式ゴルフ練習用具本体１１の外側側面１３と背中当接部分１４の間に縁取り部分２５を設けている。この縁取り部分２５、２６を両側に設けることによって、背中や腕や頭が角部に当たりにくくなり身体を動かしやすくなる。背中当接部分１４が背中より広くなる場合にも、背中とほぼ同じか狭くなるように縁取りを取れば背負子式ゴルフ練習用具を背中に背負いやすく、身体も動きやすくプレーしやすくなる。また、図１に示すような縁取り部分がない場合は、角部の角度が小さいので角部が損傷しやすいが、縁取り部分２５を設けることによって損傷を防止することもできる。縁取り部分２５、２６は平面的でも良いし、曲面となっていても良く、適宜変形しても良い。本発明で部分円柱形状と言う場合は、このような縁取りした場合も含むし、これらに類似した形状を含む。上面や底面についても平面的でなく膨らみを出した曲面でも良いし、少しへこんだ曲面でも良い。また側面についても多少の凹凸曲面を形成した場合や類似曲面も本発明の範囲に含まれる。さらに、他の種々の柱状形状についても本明細書に記載した形状に類似した形状も含む。
【００２７】
人間が背中に背負う練習用具なのでそのサイズはこれまでの図や明細書への記載でほぼ自明であるが、本発明の背負子式ゴルフ練習用具の概略サイズを見積もる。図８は、部分円柱形状の背負子式ゴルフ練習用具を示す図であり、図１と同じ図であり、寸法を記載した図である。すなわち、図８は背負子式ゴルフ練習用具の概略サイズを示した図である。（符号は図１を参照）部分円柱１１の底面１２の半径ｒは約１０ｃｍ〜４０ｃｍ、部分円柱１１の高さ（背中当接部分の長さ）は約２０ｃｍ〜８０ｃｍ、部分円の形状は中心角αで決められるが、αは約１２０度〜約３００度、当接部分の幅ｄはｒとαによって決定されるが、約１５ｃｍ〜８０ｃｍである。もちろん、上記サイズより小さくすることも大きくすることも可能である。本発明の背負子式ゴルフ練習用具は子供でも使用できるし、大きな大人でも使用できるので、それぞれの身体サイズに合わせて適宜サイズを決定すれば良い。
【００２８】
図６は、上述した本発明に類似する第２の発明であり、（腕輪式）ゴルフ練習用腕サポーター（腕サポーター式ゴルフ練習用具とも言う）８０を示す図である。ボールの向きや速度をコントロールするには、腕の状態が重要である。図６は、腕に巻く（腕輪式）ゴルフ練習用腕サポーター８０を示す図である。ゴルフ練習用腕サポーターは柔軟性を持つ円筒状の形状をしており、筒穴９２に腕を通し、ゴルフ練習用腕サポーターの略中間部分を肘部分にあてる。ゴルフ練習用腕サポーターの外側側面周囲には、上述した柱状の背負子式ゴルフ練習用具と同じような腕の長さ方向に縦縞線模様（縦縞状模様）８２〜９１が描写されている。外側側面周囲なので、図６では見えていない反対側にも縦縞線模様が描写されている。
【００２９】
図７は、本発明のゴルフ練習用腕サポーター（腕輪式ゴルフ練習用具）の使用方法の一例を示す図である。図７に示すゴルフプレーヤーの状態はバックスイング時の状態であり、左腕を胸の方へ近づけて伸ばした状態である。ゴルフ練習用腕サポーター８０は、左腕に通しその中間部を左腕の肘部（破線９３で示す）に当てている。ゴルフ練習用腕サポーター８０には縦縞線模様９４〜９７が描写されている（見えていない部分にもあるので、数はもっと多い）。左腕はできるだけ真っ直ぐ伸ばした方が良いので、縦縞線模様はできるだけ真っ直ぐになっているのが良い。それを目で確認できる（図７では破線矢印で示す）ので、左腕の状態を理想の状態に近づけることができる。また、左腕にひねりを加えて方向をコントロールする場合は、縦縞線模様に色分けをしておき（所謂、縞状模様、ただし縞線模様を含めて縞状模様と呼んでも良い）、適当な位置に所定の色の縦縞線模様が来たときに左腕を保持できる。あるいは、縦縞線模様に番号を付けてその番号の縦縞線模様に合わせても良い。ひじの曲げ方にも本発明のゴルフ練習用腕サポーターを使用できる。たとえば、ひじ部分に本発明のゴルフ練習用腕サポーターを通して、肘を曲げる角度やひじをひねる角度を設定することもできる。
【００３０】
本発明のゴルフ練習用腕サポーターの材料は、ゴム製、布製、紙製、各種伸縮性材料である。内側輪のサイズは腕に通る程度の大きさであれば良いし、両端でゴム止めして腕に固定できれば内側の輪サイズは腕周りより大きくても良い。またゴム等の伸縮性部材であれば、輪の内側サイズは腕周りより小さくても良く、腕に通した後は腕をある程度締め付けるようにフィットして固定される。尚、縦縞線模様の代わりに、図２と同様な縦帯状の色模様（縞線を帯状に太くしたものと考えても良い）にしても良い。腕の他の部分、たとえば、手首部分に使用しても良い。すなわち、本発明のゴルフ練習用腕サポーターを使って手首のひねり状態を把握することもできる。このときは、ゴルフ練習用手首サポーターと呼ぶこともできる。
【００３１】
最近、ゴルフを行なう小学生が増えており、理論で教えるよりも視覚的に教えることが効果的であるし、視覚を使えば興味を持ちながら覚えることも早い。本発明は特にそのような子供たちへの教育用具としても適している。指導者も直接目で確認できるし、初心者への教育も簡単である。また、鏡を使えば一人でも練習可能であるから。秘密裏にゴルフ技術を上達することができる。
【００３２】
以上詳細に説明した様に、本発明の背負子式ゴルフ練習用具およびゴルフ練習用腕サポーター（腕輪（腕サポーター）式ゴルフ練習用具）を身に着けて練習すれば、初心者でも簡単にゴルフプレーの基本姿勢を会得することができる。また小学生などの子供でも楽しみながらゴルフのレベルを上達することができる。本発明の縞状模様を配したゴルフ練習用具は、縞状模様を用いて足や腕や各種身体等の位置や動きを知ることができるので、上述した実施形態や実施例以外にも種々のゴルフ練習に使用できることも当然である。尚、本明細書において、明細書のある部分に記載し説明した内容について記載しなかった他の部分においても矛盾なく適用できることに関しては、当該他の部分に当該内容を適用できることは言うまでもない。また、本出願文書で記載した実施例や実施形態等の内容は、他の実施例や実施形態等の内容と組み合わせて使用できることも当然である。さらに、前記実施形態は一例であり、要旨を逸脱しない範囲内で種々変更して実施でき、本発明の権利範囲が前記実施形態に限定されないことも言うまでもない。
【産業上の利用可能性】
【００３３】
本発明の背負子式ゴルフ練習用具およびゴルフ練習用腕サポーター（腕輪式ゴルフ練習用具）は、野球やテニス等の練習用具としても使用できる。
【符号の説明】
【００３４】
１０・・・背負子式ゴルフ練習用具、１１・・・背負子式ゴルフ練習用具本体、１２・・・上面（底面）、１３・・・側面、１４・・・背中当接部分、１５・・・中空状空間、１６・・・肩（ショルダー）ベルト、１７・・・（肩ベルト）長さ調節部分、１８・・・肩（ショルダー）ベルト、１９・・・（肩ベルト）長さ調節部分、２０・・・腰ベルト、２１・・・（腰ベルト）長さ調節部分、３１、３２、３３・・・縞状模様、３５、３６、３７・・・縞状模様、
【図１】
2020185039.tif 000003
【図２】
2020185039.tif 000004
【図３】
2020185039.tif 000005
【図４】
2020185039.tif 000006
【図５】
2020185039.tif 000007
【図６】
2020185039.tif 000008
【図７】
2020185039.tif 000009
【図８】
2020185039.tif 000010
【図９】
2020185039.tif 000011